(57)【要約】  ベース（１３）は第１線膨張係数を有する。ヨーク（２８）は第１線膨張係数よりも小さい第２線膨張係数を有する。ヨーク（２８）は１対の連結部材（２６）でベース（１３）に固定される。ベース（１３）およびヨーク（２８）が高温に曝されると、ベース（１３）およびヨーク（２８）は熱膨張する。ベース（１３）はヨーク（２８）に比べて大きく膨張する。連結部材（２６）同士は相互に遠ざかる。このとき、ヨーク（２８）は連結部材（２６）の間で引き伸ばされる。ヨーク（２８）では切り欠き（３１）で断面積が減少することから、そういった引き延ばしに応じて切り欠き（３１）は広がる。ヨーク（２８）はベース（１３）の熱膨張に追随する。ベース（１３）およびヨーク（２８）の間でずれは回避される。衝撃の発生は阻止されることができる。
2009044476.tif 000002
【特許請求の範囲】
【請求項１】
第１線膨張係数を有する第１部材と、第１線膨張係数よりも小さい第２線膨張係数を有する第２部材と、第１部材に第２部材を連結する１対の連結部材と、連結部材同士の間で第２部材に形成され、連結部材同士を結ぶ直線に直交する断面で第２部材の断面積を減少させる切り欠きとを備えることを特徴とする組立体。
【請求項２】
請求項１に記載の組立体において、前記第２部材には、前記第１部材の表面に沿って広がり、周縁に切り欠きを区画する平板が用いられることを特徴とする組立体。
【請求項３】
請求項２に記載の組立体において、前記第２部材は、前記直線を迂回しつつ連結部材同士の間で延びることを特徴とする組立体。
【請求項４】
第１線膨張係数を有するベースと、第１線膨張係数よりも小さい第２線膨張係数を有するボイスコイルモーター用ヨークと、前記ベースに前記ボイスコイルモーター用ヨークを連結する１対の連結部材と、前記連結部材同士の間で前記ヨークに形成され、前記連結部材同士を結ぶ直線に直交する断面で前記第２部材の断面積を減少させる切り欠きとを備えることを特徴とする記憶媒体駆動装置。
【請求項５】
請求項４に記載の記憶媒体駆動装置において、前記ボイスコイルモーター用ヨークには、前記ベースの表面に沿って広がり、周縁に切り欠きを区画する平板が用いられることを特徴とする記憶媒体駆動装置。
【請求項６】
請求項４に記載の記憶媒体駆動装置において、前記連結部材同士の間で前記ボイスコイルモーター用ヨークに取付けられる磁石をさらに備え、前記切り欠きは、前記連結部材および前記磁石の間に形成されることを特徴とする記憶媒体駆動装置。
【請求項７】
請求項４に記載の記憶媒体駆動装置において、前記ボイスコイルモーター用ヨークは、前記直線を迂回しつつ連結部材同士の間で延びることを特徴とする記憶媒体駆動装置。
【発明の詳細な説明】
【技術分野】
【０００１】
本発明は、第１線膨張係数の第１部材と、第１線膨張係数よりも小さい第２線膨張係数の第２部材と、第２部材に第１部材を連結する少なくとも１対の連結部材とを備える組立体に関する。
【背景技術】
【０００２】
記憶媒体駆動装置すなわちハードディスク駆動装置では筐体内にキャリッジアセンブリが収容される。キャリッジアセンブリは支軸回りで揺動する。キャリッジアセンブリの先端に浮上ヘッドスライダが搭載される。キャリッジアセンブリの揺動に基づき浮上ヘッドスライダ上の電磁変換素子は所望の記録トラックに位置決めされることができる。【０００３】
そういった揺動の実現にあたってキャリッジアセンブリにはボイスコイルモーターが結合される。ボイスコイルモーターのヨークは例えば１対のねじで筐体のアルミニウム製ベースに連結される。ボイスコイルモーターのヨークは例えば鉄板から成形される。
【特許文献１】日本国特開２００６−１３３７７号公報
【発明の開示】
【０００４】
ハードディスク駆動装置が高温に曝されると、ベースやヨークで熱膨張が引き起こされる。アルミニウム製ベースは鉄製のヨークに比べて大きく膨張する。このとき、ベースにはねじの締め付け力が作用することからベースの伸張は抑えられる。１対のねじ同士の間でアルミニウム製ベースには応力が蓄積される。ねじの締め付け力がベースの膨張を支えきれなくなると、ベースは瞬時に伸張する。ベースとヨークとの間でずれが生じる。ベースはヨークに勢いよく衝突する。その結果、ヨークで衝撃が発生する。こうした衝撃で浮上ヘッドスライダや磁気ディスクが振動すると、浮上ヘッドスライダは目標の記録トラックから外れる。いわゆるオフトラックが発生してしまう。隣接する記録トラックに誤ってデータが書き込まれてしまう。
【０００５】
本発明は、上記実状に鑑みてなされたもので、ヨークの振動の抑制に大いに貢献することができる組立体を提供することを目的とする。本発明は、そういった組立体の利用に基づき実現される記憶媒体駆動装置を提供することを目的とする。
【０００６】
上記目的を達成するために、特定の組立体は、第１線膨張係数を有する第１部材と、第１線膨張係数よりも小さい第２線膨張係数を有する第２部材と、第１部材に第２部材を連結する１対の連結部材と、連結部材同士の間で第２部材に形成され、連結部材同士を結ぶ直線に直交する断面で第２部材の断面積を減少させる切り欠きとを備える。
【０００７】
第１部材および第２部材が高温に曝されると、第１部材および第２部材は熱膨張する。第１部材の第１線膨張係数は第２部材の第２熱膨張係数よりも大きいことから、第１部材は第２部材に比べて大きく膨張する。連結部材同士は相互に遠ざかる。このとき、第２部材は１対の連結部材の間で引き伸ばされる。第２部材では切り欠きで断面積が減少することから、そういった引き延ばしに応じて切り欠きは広がる。第２部材は第１部材の熱膨張に追随する。第１部材および第２部材の間でずれは回避される。衝撃の発生は阻止されることができる。
【０００８】
第２部材には、第１部材の表面に沿って広がり、周縁に切り欠きを区画する平板が用いられればよい。こういった切り欠きによれば、第２部材の表面に切り欠きが刻まれる場合に比べて、第１部材の表面に平行な向きに第２部材の剛性は効率的に弱められることができる。平板は第１部材の表面に平行な向きに沿って比較的に簡単に変形することができる。
【０００９】
同時に、第２部材は、前記直線を迂回しつつ連結部材同士の間で延びることが望まれる。こうして第２部材は連結部材同士の間で湾曲する。こういった湾曲は、前述の切り欠きに相俟って、第１部材の膨張時に第２部材の変形を容易く許容する。第１部材の膨張に応じて第２部材では確実に変形が引き起こされる。第１部材および第２部材の間でずれは確実に回避されることができる。
【００１０】
特定の記憶媒体駆動装置は、第１線膨張係数を有するベースと、第１線膨張係数よりも小さい第２線膨張係数を有するボイスコイルモーター用ヨークと、前記ベースに前記ボイスコイルモーター用ヨークを連結する１対の連結部材と、前記連結部材同士の間で前記ヨークに形成され、前記連結部材同士を結ぶ直線に直交する断面で前記第２部材の断面積を減少させる切り欠きとを備える。
【００１１】
ベースおよびボイスコイルモーター用ヨークが高温に曝されると、ベースおよびボイスコイルモーター用ヨークは熱膨張する。ベースの第１線膨張係数はボイスコイルモーター用ヨークの第２熱膨張係数よりも大きいことから、ベースはボイスコイルモーター用ヨークに比べて大きく膨張する。連結部材同士は相互に遠ざかる。このとき、ボイスコイルモーター用ヨークは１対の連結部材の間で引き伸ばされる。ボイスコイルモーター用ヨークでは切り欠きで断面積が減少することから、そういった引き延ばしに応じて切り欠きは広がる。ボイスコイルモーター用ヨークはベースの熱膨張に追随する。ベースおよびボイスコイルモーター用ヨークの間でずれは回避される。衝撃の発生は阻止されることができる。
【００１２】
前述と同様に、ボイスコイルモーター用ヨークには、ベースの表面に沿って広がり、周縁に切り欠きを区画する平板が用いられればよい。こういった切り欠きによれば、ボイスコイルモーター用ヨークの表面に切り欠きが刻まれる場合に比べて、ベースの表面に平行な向きにボイスコイルモーター用ヨークの剛性は効率的に弱められることができる。平板はベースの表面に平行な向きに沿って比較的に簡単に変形することができる。
【００１３】
記憶媒体駆動装置は、連結部材同士の間でボイスコイルモーター用ヨークに取付けられる磁石をさらに備えてもよい。このとき、切り欠きは、連結部材および磁石の間に形成されればよい。連結部材同士の間でボイスコイルモーター用ヨークの磁気経路から切り欠きは遠ざけられる。磁束の流通はこれまで通りに維持されることができる。
【００１４】
その他、前述と同様に、ボイスコイルモーター用ヨークは、前記直線を迂回しつつ連結部材同士の間で延びることが望まれる。こうしてボイスコイルモーター用ヨークは連結部材同士の間で湾曲する。こういった湾曲は、前述の切り欠きに相俟って、ベースの膨張時にボイスコイルモーター用ヨークの変形を容易く許容する。ベースの膨張に応じてボイスコイルモーター用ヨークでは確実に変形が引き起こされる。ベースおよびボイスコイルモーター用ヨークの間でずれは確実に回避されることができる。
【図面の簡単な説明】
【００１５】
【図１】本発明の一実施形態に係るハードディスク駆動装置を概略的に示す平面図である。
【図２】図１の２−２線に沿う断面図である。
【図３】下側ヨークを示す部分拡大平面図である。
【発明を実施するための最良の形態】
【００１６】
以下、添付図面を参照しつつ本発明の実施形態を説明する。【００１７】
図１は本発明に係る記憶媒体駆動装置の一具体例すなわちハードディスク駆動装置（ＨＤＤ）１１の内部構造を概略的に示す。このＨＤＤ１１は筐体すなわちハウジング１２を備える。ハウジング１２は箱形のベース１３およびカバー（図示されず）から構成される。ベース１３は例えば平たい直方体の内部空間を区画する。ベース１３は例えばアルミニウムといった金属材料から鋳造に基づき成型されればよい。カバーはベース１３の開口に結合される。カバーとベース１３との間でベース１３の内部空間は密閉される。カバーは例えばプレス加工に基づき１枚の板材から成型されればよい。【００１８】
収容空間には、記憶媒体としての１枚以上の磁気ディスク１４が収容される。磁気ディスク１４はスピンドルモータ１５に装着される。スピンドルモータ１５は例えば３６００ｒｐｍや４２００ｒｐｍ、５４００ｒｐｍ、７２００ｒｐｍ、１００００ｒｐｍ、１５０００ｒｐｍといった高速度で磁気ディスク１４を回転させることができる。【００１９】
収容空間にはキャリッジアセンブリ１６がさらに収容される。キャリッジアセンブリ１６はキャリッジブロック１７を備える。キャリッジブロック１７は、垂直方向に延びる支軸１８に回転自在に連結される。キャリッジブロック１７には、支軸１８から水平方向に延びる複数のキャリッジアーム１９が区画される。キャリッジブロック１７は例えば押し出し成型に基づきアルミニウムから成型されればよい。【００２０】
個々のキャリッジアーム１９の先端にはヘッドサスペンション２１が取り付けられる。ヘッドサスペンション２１はキャリッジアーム１９の先端から前方に延びる。ヘッドサスペンション２１にはフレキシャが貼り付けられる。ヘッドサスペンション２１の前端でフレキシャにはいわゆるジンバルが区画される。ジンバルには浮上ヘッドスライダ２２が支持される。ジンバルの働きで浮上ヘッドスライダ２２はヘッドサスペンション２１に対して姿勢を変化させることができる。浮上ヘッドスライダ２２には磁気ヘッドすなわち電磁変換素子が搭載される。【００２１】
磁気ディスク１４の回転に基づき磁気ディスク１４の表面で気流が生成されると、気流の働きで浮上ヘッドスライダ２２には正圧すなわち浮力および負圧が作用する。浮力および負圧とヘッドサスペンション２１の押し付け力とが釣り合うことで磁気ディスク１４の回転中に比較的に高い剛性で浮上ヘッドスライダ２２は浮上し続けることができる。【００２２】
こういった浮上ヘッドスライダ２２の浮上中にキャリッジアセンブリ１６が支軸１８回りで回転すると、浮上ヘッドスライダ２２は磁気ディスク１４の半径線に沿って移動することができる。その結果、浮上ヘッドスライダ２２上の電磁変換素子は最内周記録トラックと最外周記録トラックとの間でデータゾーンを横切ることができる。こうして浮上ヘッドスライダ２２上の電磁変換素子は目標の記録トラックに位置決めされる。【００２３】
キャリッジブロック１７には例えばボイスコイルモーター（ＶＣＭ）２３といった動力源が接続される。このＶＣＭ２３の働きでキャリッジブロック１７は支軸１８回りで回転することができる。こうしたキャリッジブロック１７の回転に基づきキャリッジアーム１９およびヘッドサスペンション２１の揺動は実現される。【００２４】
ボイスコイルモーター２３はヨーク２５を備える。ヨーク２５は例えば１対の連結部材すなわちねじ２６でベース１３に固定される。ヨーク２５は上側ヨーク２７および下側ヨーク２８から構成される。上側ヨーク２７は下側ヨーク２８に結合される。上側ヨーク２７および下側ヨーク２８は、１対のねじ２６の間で支軸１８回りの円弧に沿って延びる平板形に形成される。すなわち、上側ヨーク２７および下側ヨーク２８は１対のねじ２６の軸心同士を結ぶ仮想垂直平面２９を迂回しつつ１対のねじ２６の軸心同士の間で湾曲する。【００２５】
上側ヨーク２７の外側で下側ヨーク２８の周縁には切り欠き３１が区画される。切り欠き３１は支軸１８に対して外向きに開口する。この切り欠き３１は、１対のねじ２６の軸心同士を結ぶ仮想垂直平面２９を貫通する。切り欠き３１は、そういった仮想垂直平面２９に直交する断面で下側ヨーク２８の断面積を減少させる。【００２６】
キャリッジブロック１７には電磁コイル３２が結合される。電磁コイル３２は、図２から明らかなように、上側ヨーク２７および下側ヨーク２８の間に配置される。上側ヨーク２７および下側ヨーク２８は相互に向き合って支軸１８回りで扇形に水平に広がる空間を区画する。この空間内に電磁コイル３２は収容される。当該空間には上下１対の永久磁石３３、３４が配置される。永久磁石３３、３４はそれぞれ上側ヨーク２７の下面および下側ヨーク２８の上面に固着される。こういった固着にあたって個々の永久磁石３３、３４は上側ヨーク２７または下側ヨーク２８に重ね合わせられる平板形に形成される。こういった永久磁石３３、３４の働きで磁束は上側ヨーク２７および下側ヨーク２８を循環する。上側ヨーク２７および下側ヨーク２８は閉じた磁気経路を形成する。ここでは、切り欠き３１は永久磁石３３、３４の外側すなわち上側ヨーク２７の外側に配置される。磁気経路の外側で下側ヨーク２８に切り欠き３１は形成される。したがって、磁束の流通はこれまで通りに維持されることができる。【００２７】
図２から明らかなように、ヨーク２５の固定にあたってベース１３には低いボス３６、３６が形成される。ボス３６の頂上面に下側ヨーク２８は受け止められる。下側ヨーク２８には、ボス３６の頂上面から垂直に立ち上がる貫通孔３７が形成される。その一方で、ボス３６の頂上面には、ボス３６から同軸に延びる受け入れ軸３８が形成される。受け入れ軸３８にはその軸心に沿ってねじ穴３９が切られる。ねじ２６のねじ軸がねじ穴３９にねじ込まれると、ねじ２６のねじ頭とボス３６の頂上面との間に下側ヨーク２８は挟み込まれる。ねじ２６の締結力はねじ頭から下側ヨーク２８に作用する。受け入れ軸３８の外面と貫通孔３７の内壁面との間には遊びが確立される。【００２８】
ここでは、上側ヨーク２７および下側ヨーク２８は鉄製の厚板材から成形される。すなわち、上側ヨーク２７および下側ヨーク２８はアルミニウム製のベース１３の熱膨張係数よりも小さい熱膨張係数を有する。したがって、ベース１３は本発明の第１部材として機能する。下側ヨーク２８は本発明の第２部材として機能する。ヨーク２５およびベース１３が高温に曝されると、ヨーク２５に比べてベース１３は大きく熱膨張する。１対のボス３６は相互に遠ざかる。このとき、図３から明らかなように、下側ヨーク２８は１対のねじ２６の間で引き伸ばされる。下側ヨーク２８では切り欠き３１で断面積が減少することから、そういった引き延ばしに応じて切り欠き３１は広がる。下側ヨーク２８はベース１３の膨張に追随する。ねじ２６の締め付け力に応じてねじ２６のねじ頭から下側ヨーク２８に十分に摩擦力が作用する。ねじ２６のねじ頭やボス３６の頂上面に対して下側ヨーク２８のずれは阻止される。こうしてベース１３の膨張に基づく衝撃の発生は回避されることができる。【００２９】
しかも、下側ヨーク２８はベース１３の表面に平行に広がる平板で形成される。こういった平板の周縁に切り欠き３１は区画される。こういった切り欠きによれば、下側ヨーク２８の表面に溝といった切り欠きが形成される場合に比べて、ベース１３の表面に平行な向きに下側ヨーク２８の剛性は効率的に弱められることができる。下側ヨーク２８はベース１３の表面に平行な向きに沿って比較的に簡単に変形することができる。その上、下側ヨーク２８はねじ２６同士の間で湾曲する。下側ヨーク２８は、ねじ２６の軸心同士を結ぶ仮想垂直平面２９から外される。その結果、ベース１３の膨張時に下側ヨーク２８の変形は容易く許容される。ベース１３の膨張に応じて下側ヨーク２８では確実に変形が引き起こされる。ベース１３および下側ヨーク２８の間でずれは確実に回避されることができる。
【図１】
2009044476.tif 000003
【図２】
2009044476.tif 000004
【図３】
2009044476.tif 000005
【国際調査報告】
2009044476.tif 000006
2009044476.tif 000007